(57)【要約】【課題】  衣装と調和する任意の装飾体を選択して装着できるようにする。【解決手段】多数個の真珠１１と、真珠を一列に綴る糸１２と、糸１２に挿通されて隣接する真珠１１間に配置された弾性材料からなるスペーサ１３と、異なるデザインの複数個の装飾体１４と、から構成される。そして、各装飾体１４の裏面には、糸１２の一端側に設けられた受け留め具１６と係脱自在な掛け留め具部１５１と、スペーサ１３と係脱自在なフック部１５１が形成された止め金具１５が設けられる。このため、選択された任意の装飾体１４の掛け留め具部１５１が受け留め具１６に係止される一方、その装飾体１４のフック部１５２が任意の真珠１１間に挿入されて真珠間のスペーサ１３と係合される。【選択図】  図４
2005296523.tif 000002
【特許請求の範囲】
【請求項１】
それぞれ通孔が形成された多数個の珠玉と、一端側に受け留め具が設けられて各珠玉の通孔に挿通され、珠玉を一列に綴る糸と、少なくとも糸の他端側の所定区間において糸に挿通されて隣接する珠玉間に配置された弾性材料からなるスペーサと、異なるデザインの複数個の装飾体と、から構成され、各装飾体の裏面側には、糸の一端側に設けられた受け留め具と係脱自在な掛け留め具部が設けられるとともに、スペーサと係脱自在なフック部が設けられてなり、選択された任意の装飾体の掛け留め具部が受け留め具に係止される一方、その装飾体のフック部が所定区間における任意の珠玉間に挿入されて珠玉間のスペーサと係合されることを特徴とする装身具。
【請求項２】
珠玉を設けたピアスピンと、ピアスピンに係脱自在なナットと、ピアスピンに挿通可能なリングを有し、請求項１記載の複数個の装飾体と同一デザインの複数個の装飾体と、から構成され、選択された任意の装飾体のリングがピアスピンに挿通されることを特徴とする装身具。
【請求項３】
珠玉を設けた柱と、柱の先端にねじ込まれたスクリュー金具と、柱に固定されるとともに、少なくとも珠玉の表面の一部と接触する係止フックと、係止フックに挿通可能なリングを有し、請求項１記載の複数個の装飾体と同一デザインの複数個の装飾体と、から構成され、選択された任意の装飾体のリングが係止フックに挿通されることを特徴とする装身具。
【請求項４】
前記珠玉が真珠であることを特徴とする請求項１，２，３記載の装身具。
【請求項５】
前記掛け留め具部およびフック部が各装飾体の裏面に設けた止め金具にそれぞれ形成されていることを特徴とする請求項１記載の装身具。
【発明の詳細な説明】
【技術分野】
【０００１】
この発明は、真珠、珊瑚、翡翠、ダイヤモンド、エメラルドなどの珠玉を多数個連ねて形成される連タイプのネックレスやブレスレットといった装身具に関するものである。。
【背景技術】
【０００２】
装身具、例えば、真珠のネックレスの長さについて考察すると、約３５ｃｍのチョーカー、約４０〜４３ｃｍのプリンセス、約５３ｃｍのマチネ、約７１ｃｍのオペラといった４種類がある。これらのうち、長さが一番短いチョーカーが最も首もとに沿い、プリンセス、マチネ、オペラの順に首からの垂れ下がり度合いが大きくなる。このたれ下がりの度合いは、装着者の体格とその日の服装に左右される。そこで、装着者は、自分の体格に相応しく、かつ、装着時に衣装に適した長さのネックレスを選択することになる。
【０００３】
しかしながら、真珠のネックレスは、一般に高価であることから、上記の全ての種類の長さのネックレスを揃えておくことは困難である。このため、ネックレスを体格および衣装に合わせて自由に選択できないのが現実である。
【０００４】
このような問題に対応して、出願人は、装着時のネックレスの輪の大きさを自由に調整することができる装身具を提案している（特許文献１参照）。
【特許文献１】国際公開第０２／３５９５８号パンフレット
【発明の開示】
【発明が解決しようとする課題】
【０００５】
ところで、前述したネックレスは、装着時の輪の大きさを自由に調整することができることから、体格による印象の変化を防止できるとともに、一つのネックレスをいくつかの形態に使い分けることができる、という特徴を有するものの、装飾体が糸の他端に固定されているため、装飾体のデザインと、衣装とが調和しない場合、採用することができないものである。このため、衣装に合わせて装飾体が異なる複数個のネックレスを用意しなければならず、この点でも、高価なネックレスを揃えておくことは困難である。
【０００６】
本発明は、このような問題点に鑑みてなされたもので、衣装と調和する任意の装飾体を選択して装着することのできる装身具を提供するものである。
【課題を解決するための手段】
【０００７】
本発明は、それぞれ通孔が形成された多数個の珠玉と、一端側に受け留め具が設けられて各珠玉の通孔に挿通され、珠玉を一列に綴る糸と、少なくとも糸の他端側の所定区間において糸に挿通されて隣接する珠玉間に配置された弾性材料からなるスペーサと、異なるデザインの複数個の装飾体と、から構成され、各装飾体の裏面側には、糸の一端側に設けられた受け留め具と係脱自在な掛け留め具部が設けられるとともに、スペーサと係脱自在なフック部が設けられてなり、選択された任意の装飾体の掛け留め具部が受け留め具に係止される一方、その装飾体のフック部が所定区間における任意の珠玉間に挿入されて珠玉間のスペーサと係合されることを特徴とするものである。
【０００８】
本発明によれば、衣装に調和する任意の装飾体を複数個の装飾体のなかから選択し、選択された装飾体の掛け留め具部を糸の一端側に設けられた受け留め具に係止して取り付ける。次いで、装飾体のフック部を所定区間における任意の珠玉間に挿入し、珠玉間のスペーサと係合させて装着する。
【０００９】
この結果、衣装と調和する任意の装飾体を選択して装着することができる。また、輪の大きさを自由に調整することができる。
【００１０】
この場合、選択された装飾体を摘んで、掛け留め具部を受け留め具に係止することにより、装飾体を簡単に取り付けることができるとともに、取り外し操作も容易に行うことができる。また、フック部を任意の珠玉間に嵌め込むことにより、簡単に輪を形成することができる。そして、輪が形成された際、フック部はスペーサと係合することから、珠玉および糸が傷つけられることがなく、耐久性に優れる。また、掛け留め具部およびフック部は装飾体の裏面側に設けられているため、掛け留め具部と受け留め具との係止状態およびフック部とスペーサとの係合状態は、装飾体によって隠蔽され、連結部分が目立たず、外部に感知されにくい。さらに、フック部が弾性材料製のスペーサに係合することから、フック部が不測に外れることがなく、落として紛失するおそれがなく、また、取り外し操作も容易に行うことができる。
【００１１】
本発明は、珠玉を設けたピアスピンと、ピアスピンに係脱自在なナットと、ピアスピンに挿通可能なリングを有し、請求項１記載の複数個の装飾体と同一デザインの複数個の装飾体と、から構成され、選択された任意の装飾体のリングがピアスピンに挿通されることを特徴とするものである。
【００１２】
本発明によれば、衣装に調和する任意の装飾体を複数個の装飾体のなかから選択し、選択された装飾体のリングをピアスピンに挿通した後、耳に挿通し、ナットにて止着する。
【００１３】
この結果、衣装と調和する任意の装飾体を選択して装着することができる。
【００１４】
この場合、ネックレスの装飾体と同一デザインの装飾体を選択することにより、ネックレスとピアスとを統合して協調することができる。
【００１５】
本発明は、珠玉を設けた柱と、柱の先端にねじ込まれたスクリュー金具と、柱に固定されるとともに、少なくとも珠玉の表面の一部と接触する係止フックと、係止フックに挿通可能なリングを有し、請求項１記載の複数個の装飾体と同一デザインの複数個の装飾体と、から構成され、選択された任意の装飾体のリングが係止フックに挿通されることを特徴とするものである。
【００１６】
本発明によれば、衣装に調和する任意の装飾体を複数個の装飾体のなかから選択し、選択された装飾体のリングを係止フックに挿通した後、耳にスクリュー金具にて装着する。
【００１７】
この結果、衣装と調和する任意の装飾体を選択して装着することができる。
【００１８】
この場合、ネックレスの装飾体と同一デザインの装飾体を選択することにより、ネックレスとイヤリングを統合して協調することができる。
【００１９】
本発明において、珠玉としては、真珠が好ましい。真珠は養殖技術が確立しているので入手し易く、しかも、万人に好まれる。また、真珠はほぼ真球であるのでフック部の掛け外しもスムーズに行える。
【００２０】
本発明において、前記掛け留め具部およびフック部が装飾体の裏面に設けた単一の止め金具にそれぞれ形成されていると、装飾体の裏面の小さなスペースに掛け留め具部およびフック部を設けることができるとともに、コストも低減できる。
【発明の効果】
【００２１】
発明によれば、衣装と調和する任意の装飾体を選択して装着することができる。
【発明を実施するための最良の形態】
【００２２】
以下、本発明の実施の形態を図面に基づいて説明する。
【実施例１】
【００２３】
図１乃至図５には、本発明の装身具の第１実施形態である真珠のネックレス１０が示されている。
【００２４】
このネックレス１０は、珠玉としての多数個の真珠１１と、一端側に受け留め具１６が止着された糸１２と、複数個のスペーサ１３と、複数個の装飾体１４と、各装飾体１４の裏面に設けられ、掛け留め具部１５１およびフック部１５２が形成された止め金具１５と、から構成される。
【００２５】
真珠１１は、従来のネックレスと同様に、糸１２を挿通するための通孔が形成されており、その個数は、ネックレス１０の全長および真珠１１自体の大きさに基づいて適宜決定される。
【００２６】
糸１２は、単位面積当たりの引っ張り強度が大きく、しなやかな絹から形成されている。ただし、糸１２は、多数個の真珠１１を一列に綴った際、容易に切断しないような材質であればよく、ナイロンなどの合成繊維や金属繊維など、その他の繊維を用いてもよい。
【００２７】
スペーサ１３は、装飾体１４に設けられた止め金具１５のフック部１５２を受けるものであり、弾性材料、例えば、シリコン樹脂によってリング状に形成されている。この場合、スペーサ１３は、糸１２から大きく振れないように、内径が糸１２の外径よりもわずかに大きい程度に設定されている他、真珠１１に比して目立たないように、外径が設定されている。そして、本実施形態においては、スペーサ１３は、糸１２に真珠１１と交互に挿通されることにより、ネックレス１０の全長にわたって隣接する真珠１１，１１間に配置されている。
【００２８】
このため、真珠１１，１１間に隙間が発生するのが防止され、糸１２が露出せず、見苦しくなることがない。
【００２９】
なお、スペーサ１３は、必ずしも全長にわたって配置される必要はなく、少なくとも糸１２の他端側の所定区間において隣接する真珠１１，１１間に配置されていればよい。
【００３０】
ここで、所定区間とは、ネックレス１０の装着時、ネックレス１０に止め金具１５のフック部１５２を実際に係止し得る範囲をいう。具体的には、ネックレス１０の全長と、一般的な人の首の周長との差に相当する寸法を、糸１２の他端からとった範囲である。
【００３１】
装飾体１４は、デザインの異なる複数種類、例えば、花形状（図１参照）の他、ハート形状およびクロス形状（図６参照）の３種類が用意されている。そして、いずれの装飾体１４においても、正面から観察した場合に、後述する止め金具１５の掛け留め具部１５１による係止状態およびフック部１５２による係合状態を隠蔽することができる大きさに形成されている（図１および図３参照）。
【００３２】
なお、花形状の装飾体１４において、表面側には単体の真珠１４１が取り付けられている。
【００３３】
止め金具１５は、図７に詳細に示すように、真珠１１，１１間に無理なく挿入し得る厚みを有するとともに、滑らかな表面を有する略方形の薄板によって形成されており、その一辺側端面が装飾体１４の裏面にロー付けされている。これにより、真珠１１が止め金具１５によって傷付けられることが防止される。そして、止め金具１５には、掛け留め具部１５１およびフック部１５２が形成されている。
【００３４】
具体的には、掛け留め具部１５１は、止め金具１５の約中央部に形成され、糸１２の他端に止着された略円環体形状の受け留め具１６（図２参照）における円環面の外径よりも若干大きな外径の円形状の受け留め具嵌入部１５１ａと、後述するフック部１５２の開口端部１５２ｂ近傍から受け留め具嵌入部１５１ａにかけて形成され、受け留め具１６における円環面の外径よりも小さな幅のチョーク部１５１ｂと、からなり、チョーク部１５１ｂの周縁は、チョーク部１５１ｂに向けて断面三角形状に面取りされている。この場合、チョーク部１５１ｂの始端は、円形状の受け留め具嵌入部１５１ａの最下部よりも上方に位置している（図５参照）。
【００３５】
なお、糸１２の一端に止着された受け留め具１６は、止め金具１５の板厚よりも小さな幅の切り開き部１６ａ（図２参照）が途中に形成されており、切り開き部１６ａの周縁は、切り開き部１６ａに向けて断面三角形状に面取りされている。
【００３６】
したがって、止め金具１５に対して受け留め具１６を直交させるとともに、受け留め具１６の切り開き部１６ａを止め金具１５における掛け留め具部１５１のチョーク部１５１ｂと対向させ、押し込んだ場合にのみ受け留め具１６に止め金具１５（装飾体１４）を係止することができる。また、両者を対向させて引き出した場合にのみ止め金具１５を受け留め具１６から離脱させることができる。
【００３７】
一方、フック部１５２は、止め金具１５の、装飾体１３にロー付けされた一辺と対向する他辺近傍に形成され、スペーサ１３の外形にほぼ合致する曲線形状のスペーサ嵌入部１５２ａと、止め金具１５の、他辺と下辺との隅角部近傍からスペーサ嵌入部１５２ａにかけて形成された開口端部１５２ｂと、からなり、開口端部１５２ｂは、先窄まりの絞り部１５２ｘを有し、この絞り部１５２ｘの幅は、前述したスペーサ１３の外径よりも小さく設定されている。
【００３８】
したがって、装飾体１４を摘み、フック部１５２の開口端部１５２ｂをネックレス１０の所定区間における任意の珠玉１１，１１間に挿入すれば、スペーサ１３に係合させることができる。この場合、図２に示すように、輪を形成することができるとともに、係合位置を変更することにより、輪の大きさを自由に調整することができる。また、その状態で抜き出せば、装飾体１４をスペーサ１３から取り外すことができる。
【００３９】
このように構成されたネックレス１０を使用する場合は、まず、衣装に合わせて任意の装飾体１４を選択し、選択された装飾体１４を糸１２の一端に止着された受け留め具１６に装着する。具体的には、受け留め具１６を摘むとともに、装飾体１４の止め金具１５を摘んで受け留め具１６に直交させ、受け留め具１６の切り開き部１６ａを止め金具１５における掛け留め具部１５１のチョーク部１５１ｂと対向させ、押し込むことにより、止め金具１５における掛け留め具部１５１の受け留め具嵌入部１５１ａに受け留め具１６の円環体部分を挿入することができる。
【００４０】
この場合、止め金具１５の掛け留め具部１５１と、受け留め具１６とが係止された場合、チョーク部１５１ｂは、受け留め具１６を支持している受け留め具嵌入部１５１ａの最下部よりも上方に位置し、また、チョーク部１５１ｂの幅は、受け留め具１６の円環体の直径よりも小さいことから、装飾体１４の脱落を確実に防止することができる。すなわち、受け留め具１６の切り開き部１６ａと、掛け留め具部１５１のチョーク部１５１ｂが偶然に対向し、両者に引き離し方向の力が作用しない限り、装飾体１４が脱落することはない。
【００４１】
次いで、ネックレス１０の両端を持って、ネックレス１０の中程を前方または後方から首にあてがい、形成しようとする輪の大きさを推し量りながら装飾体１４を摘んで、止め金具１５のフック部１５２をネックレス１０の他端側の所定区間において隣接する真珠１１，１１間に挿入し、フック部１５２を当該隣接する真珠１１，１１間に配置されたスペーサ１３に係合させる。すなわち、フック部１５２の開口端部１５２ｂを弾性変形しつつ通過したスペーサ１３は、フック部１５２のスペーサ嵌入部１５２ａにおいて復元して嵌まり込むことから、両者はしっかりと連結される。
【００４２】
この場合、好みに応じて、装飾体１４（輪の連結部分）を胸側、あるいは、図８に示すように、背中側に位置させればよい。
【００４３】
一方、ネックレス１０を外す場合は、装飾体１４を摘んで、止め金具１５のフック部１５２を装着時とは逆方向に抜き出すことにより、フック部１５２のスペーサ嵌入部１５２ａに嵌め込まれていたスペーサ１３が弾性変形しつつ開口端部１５２ｂを通過して外れることから、フック部１５２とスペーサ１３との係合状態を解除することができる。
【００４４】
この後、受け留め具１６および装飾体１４を摘んで止め金具１５を受け留め具１６に直交させると同時に、受け留め具１６の切り開き部１６ａを止め金具１５における掛け留め具部１５１のチョーク部１５１ｂと対向させて引き出すことにより、止め金具１５における掛け留め具部１５１の受け留め具嵌入部１５１ａから受け留め具１６を離脱させることができる。
【００４５】
なお、前述した実施形態においては、真珠のネックレス１０を例示したが、他の種類の宝石からなるネックレスにも、また、ネックレス以外にブレスレットにも採用することができる。
【００４６】
この結果、衣装に合わせて任意の装飾体１４を選択し、前述した糸１２の一端に固定された受け留め具１６に止め金具１５の掛け留め具部１５１を係止することにより、選択された装飾体１４を取り付けることができる。また、装飾体１４を装着した状態において、止め金具１５のフック部１５２を所定区間における任意の真珠１１，１１間に挿入するとともに、真珠１１，１１間のスペーサ１３に係合することにより、大きさを調整してネックレス１０の輪を形成することができる。
【実施例２】
【００４７】
図９には、本発明の装身具１の第２実施形態であるピアス２０が示されている。
【００４８】
このピアス２０は、真珠２１１を設けたピアスピン２１と、ピアスピン２１に係脱自在なナット２２と、ピアスピン２１に挿通可能なリング２３１およびリング２３１に連結されたチェーン２３２を有する複数個の装飾体２３と、から構成されている。
【００４９】
ここで、装飾体２３としては、デザインの異なる複数種類、具体的には、ネックレス１０に用いられる装飾体１４と同様に、花形状（図９参照）の他、ハート形状およびクロス形状（図１０参照）の３種類が用意されている。
【００５０】
したがって、このように構成されたピアス２０を使用する場合は、衣装に合わせて任意の装飾体２３を選択し、選択された装飾体２３のリング２３１をピアスピン２１に挿通させた後、耳にピアスピン２１を挿通してナット２２で固定すればよい。
【００５１】
この結果、衣装と調和する任意の装飾体２３を選択して装着することができる。
【００５２】
この場合、ネックレス１０に採用した装飾体１４と同一デザインの装飾体２３を採用することにより、ネックレス１０とピアス２０とを統合して協調することができる。
【実施例３】
【００５３】
図１１には、本発明の装身具１の第３実施形態であるイヤリング３０が示されている。
【００５４】
このイヤリング３０は、一端側に真珠３１１を設けたＵ字状の柱（ワイヤ）３１と、柱３１の他端にねじ込まれたスクリュー金具３２と、柱３１に固定された係止フック３３と、係止フック３３に挿通可能なリング３４１およびリング３４１に連結されたチェーン３４２を有する複数個の装飾体３４と、から構成され、係止フック３３は、真珠３１１の表面の一部と常時接触するように、弾性変形されている。
【００５５】
ここで、装飾体３４としては、デザインの異なる複数種類、具体的には、ネックレス１０に用いられる装飾体１４と同様に、花形状（図１１照）の他、詳細には図示しないが、ハート形状およびクロス形状の３種類が用意されている。
【００５６】
したがって、このように構成されたイヤリング３０を使用する場合は、衣装に合わせて任意の装飾体３４を選択し、選択された装飾体３４のリング３４１を係止フック３３に挿通させた後、耳にスクリュー金具３２を介して装着すればよい。この場合、係止フック３３と真珠３１１との接触部を押し開いて装飾体３４のリング３４１が装着されるため、装飾体３４が簡単に離脱することはない。
【００５７】
この結果、衣装と調和する任意の装飾体３４を選択して装着することができる。
【００５８】
この場合、ネックレス１０に採用した装飾体１４と同一デザインの装飾体３４を採用することにより、ネックレス１０とイヤリング３０とを統合して協調することができる。
【実施例４】
【００５９】
図１２には、本発明の装身具１のもう一つの他の実施形態である指輪４０が示されている。
【００６０】
この指輪４０は、リング本体４１に固定された装飾体４２から構成され、デザインの異なる複数種類が用意されている。具体的には、リング本体４１に装飾体４２として、真珠（図１２（ａ）参照）、花形状（図１２（ｂ）参照）、ハート形状（図１２（ｃ）参照）およびクロス形状（図１２（ｄ）参照）が固定された４種類の指輪４０が用意されている。
【００６１】
したがって、このように構成された指輪４０を使用する場合は、その日の衣装に合わせて任意の装飾体４２を備えた指輪４０を選択し、選択された指輪４０を指に嵌めればよい。
【００６２】
この結果、衣装と調和する任意の装飾体４２を備えた指輪４０を選択して装着することができる。
【００６３】
この場合、ネックレス１０に採用した装飾体１４と同一デザインの装飾体４２を備えた指輪４０を採用することにより、ネックレス１０と指輪４０とを統合して協調することができる。
【産業上の利用可能性】
【００６４】
以上説明したように、この発明は、複数の装飾体のなかから、衣装と調和する装飾体を選択して装着することが可能となる。
【図面の簡単な説明】
【００６５】
【図１】本発明の装身具の第１実施形態であるネックレスを示す正面図である。
【図２】ネックレスに対する装飾体の係止状態を示す斜視図である。
【図３】図１のネックレスにおいて輪を形成した状態を示す正面図である。
【図４】図３のネックレスにおける輪の連結部分を示す斜視図である。
【図５】図４のＡ−Ａ線矢視図である。
【図６】ネックレスの他の装飾体を示す斜視図である。
【図７】図１のネックレスにおける装飾体および止め金具を示す斜視図である。
【図８】ネックレスの装着の一例を示す説明図である。
【図９】本発明の装身具の第２実施形態であるピアスを示す斜視図である。
【図１０】ピアスの他の装飾体を示す斜視図である。
【図１１】本発明の装身具の第３実施形態であるイヤリングを示す斜視図である。
【図１２】本発明の装身具の第４実施形態である複数個の指輪を示す斜視図である。
【符号の説明】
【００６６】
１０  ネックレス（装身具）
１１  真珠
１２  糸
１３  スペーサ
１４  装飾体
１５  止め金具
１５１  掛け留め具部
１５１ａ  受け留め具嵌入部
１５１ｂ  チョーク部
１５２  フック部
１５２ａ  スペーサ嵌入部
１５２ｂ  開口端部
１６  受け留め具
２０  ピアス（装身具）
２１  ピアスピン
２２  ナット
２３  装飾体
３０  イヤリング（装身具）
３１  柱
３２  スクリュー金具
３３  係止フック
３４  装飾体
【図１】
2005296523.tif 000003
【図２】
2005296523.tif 000004
【図３】
2005296523.tif 000005
【図４】
2005296523.tif 000006
【図５】
2005296523.tif 000007
【図６】
2005296523.tif 000008
【図７】
2005296523.tif 000009
【図８】
2005296523.tif 000010
【図９】
2005296523.tif 000011
【図１０】
2005296523.tif 000012
【図１１】
2005296523.tif 000013
【図１２】
2005296523.tif 000014